【手続補正書】
【提出日】平成16年5月13日(2004.5.13)
【手続補正１】
【補正対象書類名】明細書
【補正対象項目名】発明の名称
【補正方法】変更
【補正の内容】
【発明の名称】情報記録媒体、その製造装置及びその製造方法、ならびに情報記録媒体への信号記録装置及びその信号記録方法
【手続補正２】
【補正対象書類名】明細書
【補正対象項目名】特許請求の範囲
【補正方法】変更
【補正の内容】
【特許請求の範囲】
【請求項１】
情報信号が記録される情報記録トラック及びアドレス情報を含むガイド信号が記録されているガイドトラックを備えたデータ記録エリアと、
第１のエンボスピット列が形成されるとともに、前記ガイド信号が記録されていない第１のエンボスエリアと、
第２のエンボスピット列が形成されるとともに、前記ガイド信号が記録されている第２のエンボスエリアと、
を備えたことを特徴とする情報記録媒体。
【請求項２】
前記第２のエンボスエリアは、前記第１のエンボスエリアの直後に配置されていることを特徴とする請求項１に記載の情報記録媒体。
【請求項３】
前記第２のエンボスエリアに対応する前記ガイド信号のアドレス情報は、前記情報記録媒体のデータ記録エリアの先頭に対応する前記ガイド信号のアドレス情報に基づいて設定されていることを特徴とする請求項１又は２に記載の情報記録媒体。
【請求項４】
前記第１のエンボスピット列と前記第２のエンボスピット列は、異なるピット深さを有することを特徴とする請求項１乃至３のいずれか一に記載の情報記録媒体。
【請求項５】
前記第１のエンボスピット列は、前記第２のエンボスピット列より深いピット深さを有することを特徴とする請求項４に記載の情報記録媒体。
【請求項６】
前記第１のエンボスエリアにおいては、制御情報が前記第１のエンボスピット列として記録されていることを特徴とする請求項１乃至５のいずれか一に記載の情報記録媒体。
【請求項７】
前記第２のエンボスエリアにおいては、ダミーデータが前記第２のエンボスピット列として記録されていることを特徴とする請求項１乃至６のいずれか一に記載の情報記録媒体。
【請求項８】
前記第１のエンボスエリア及び前記第２のエンボスエリアの各々は、誤り訂正単位の整数倍の大きさを有することを特徴とする請求項１乃至７のいずれか一に記載の情報記録媒体。
【請求項９】
前記第１のエンボスエリアは、前記第２のエンボスエリアよりも大きいことを特徴とする請求項１乃至８のいずれか一に記載の情報記録媒体。
【請求項１０】
情報記録媒体に、第１のエンボスピット列を有する第１のエンボスエリアと、第２のエンボスピット列を有する第２のエンボスエリアを形成し、前記第１のエンボスエリアにおいては、アドレス情報を含むガイド信号を記録することなく、前記第２のエンボスエリアにおいては、前記ガイド信号を記録すること、を特徴とする情報記録媒体への信号記録方法。
【請求項１１】
前記第２のエンボスエリアは、前記第１のエンボスエリアの直後に割り付けられることを特徴とする請求項１０に記載の信号記録方法。
【請求項１２】
前記第２のエンボスエリアに対応する前記ガイド信号のアドレス情報は、前記情報記録媒体のデータ記録エリアの先頭に対応する前記ガイド信号のアドレス情報に基づいて設定されていることを特徴とする請求項１０又は１１に記載の信号記録方法。
【請求項１３】
前記第１のエンボスエリアにおいては、制御情報が前記第１のエンボスピット列として記録されることを特徴とする請求項１０乃至１２のいずれか一に記載の信号記録方法。
【請求項１４】
前記第２のエンボスエリアにおいては、ダミーデータが前記第２のエンボスピット列として記録されることを特徴とする請求項１０乃至１３のいずれか一に記載の信号記録方法。
【請求項１５】
情報記録媒体に、第１のエンボスピット列を有する第１のエンボスエリアと、第２のエンボスピット列を有する第２のエンボスエリアを形成するエンボス形成手段と、
前記第１のエンボスエリアにおいては、アドレス情報を含むガイド信号を記録することなく、前記第２のエンボスエリアにおいては、前記ガイド信号を記録する記録手段と、
を備えることを特徴とする信号記録装置。
【請求項１６】
前記第２のエンボスエリアは、前記第１のエンボスエリアの直後に割り当てられることを特徴とする請求項１５に記載の信号記録装置。
【請求項１７】
前記記録手段は、前記第２のエンボスエリアに対応する前記ガイド信号のアドレス情報を、前記情報記録媒体のデータ記録エリアの先頭に対応する前記ガイド信号のアドレス情報に基づいて設定することを特徴とする請求項１５又は１６に記載の信号記録装置。
【請求項１８】
前記エンボスエリア形成手段は、制御情報を前記第１のエンボスピット列として記録することにより前記第１のエンボスエリアを形成することを特徴とする請求項１５乃至１７のいずれか一に記載の信号記録装置。
【請求項１９】
前記エンボスエリア形成手段は、ダミーデータを前記第２のエンボスピット列として記録することにより前記第２のエンボスエリアを形成することを特徴とする請求項１５乃至１８のいずれか一に記載の信号記録装置。
【請求項２０】
情報記録媒体に、情報信号が記録される情報記録トラック及びアドレス情報を含むガイド信号が記録されているガイドトラックを備えたデータ記録エリアを形成するデータエリア形成工程と、
第１のエンボスピット列が形成されるとともに、前記ガイド信号が記録されていない第１のエンボスピットエリアを形成する第１のエンボスエリア形成工程と、
第２のエンボスピット列が形成されるとともに、前記ガイド信号が記録されている第２のエンボスエリアを形成する第２のエンボスエリア形成工程と、
を備えたことを特徴とする情報記録媒体製造方法。
【請求項２１】
前記第２のエンボスエリア形成工程においては、前記第２のエンボスエリアは、前記第１のエンボスエリアの直後に形成されることを特徴とする請求項２０に記載の情報記録媒体製造方法。
【請求項２２】
前記第２のエンボスエリアに対応する前記ガイド信号のアドレス情報は、前記情報記録媒体のデータ記録エリアの先頭に対応する前記ガイド信号のアドレス情報に基づいて設定されていることを特徴とする請求項２０又は２１に記載の情報記録媒体製造方法。
【請求項２３】
前記第１のエンボスエリア形成工程及び前記第２のエンボスエリア形成工程においては、前記第１のエンボスピット列と前記第２のエンボスピット列は、異なるピット深さを有するように形成されることを特徴とする請求項２０乃至２２のいずれか一に記載の情報記録媒体製造方法。
【請求項２４】
前記第１のエンボスピット列は、前記第２のエンボスピット列よりも深いピット深さを有するように形成されることを特徴とする請求項２３に記載の情報記録媒体製造方法。
【請求項２５】
前記第１のエンボスエリア形成工程においては、制御情報に基づいて前記第１のエンボスピット列を形成することを特徴とする請求項２０乃至２４のいずれか一に記載の情報記録媒体製造方法。
【請求項２６】
前記第２のエンボスエリア形成工程においては、ダミーデータに基づいて前記第２のエンボスピット列を形成することを特徴とする請求項２０乃至２５のいずれか一に記載の情報記録媒体製造方法。
【請求項２７】
前記第１のエンボスエリア及び前記第２のエンボスエリアの各々は、誤り訂正単位の整数倍の大きさを有することを特徴とする請求項２０乃至２６のいずれか一に記載の情報記録媒体製造方法。
【請求項２８】
前記第１のエンボスエリアは、前記第２のエンボスエリアよりも大きいことを特徴とする請求項２０乃至２７のいずれか一に記載の情報記録媒体製造方法。
【請求項２９】
情報記録媒体に、情報信号が記録される情報記録トラック及びアドレス情報を含むガイド信号が記録されているガイドトラックを備えたデータ記録エリアを形成するデータエリア形成手段と、
第１のエンボスピット列が形成されるとともに、前記ガイド信号が記録されていない第１のエンボスエリアを形成する第１のエンボスエリア形成手段と、
第２のエンボスピット列が形成されるとともに、前記ガイド信号が記録されている第２のエンボスエリアを形成する第２のエンボスエリア形成手段と、
を備えたことを特徴とする情報記録媒体製造装置。
【請求項３０】
前記第２のエンボスエリア形成手段は、前記第２のエンボスエリアを、前記第１のエンボスエリアの直後に形成することを特徴とする請求項２９に記載の情報記録媒体製造装置。
【請求項３１】
前記第２のエンボスエリアに対応する前記ガイド信号のアドレス情報は、前記情報記録媒体のデータ記録エリアの先頭に対応する前記ガイド信号のアドレス情報に基づいて設定されていることを特徴とする請求項２９又は３０に記載の情報記録媒体製造装置。
【請求項３２】
前記第１のエンボスエリア形成手段及び前記第２のエンボスエリア形成手段は、前記第１のエンボスピット列と前記第２のエンボスピット列が異なるピット深さを有するように形成することを特徴とする請求項２９乃至３１のいずれか一に記載の情報記録媒体製造装置。
【請求項３３】
前記第１のエンボスピット列を、前記第２のエンボスピット列より深いピット深さを有するように形成することを特徴とする請求項３２に記載の情報記録媒体製造装置。
【請求項３４】
前記第１のエンボスエリア形成手段は、制御情報に基づいて前記第１のエンボスピット列を形成することを特徴とする請求項２９乃至３３のいずれか一に記載の情報記録媒体製造装置。
【請求項３５】
前記第２のエンボスエリア形成手段は、ダミーデータに基づいて前記第２のエンボスピット列を形成することを特徴とする請求項２９乃至３４のいずれか一に記載の情報記録媒体製造装置。
【請求項３６】
前記第１のエンボスエリア及び前記第２のエンボスエリアの各々は、誤り訂正単位の整数倍の大きさを有することを特徴とする請求項２９乃至３５のいずれか一に記載の情報記録媒体製造装置。
【請求項３７】
前記第１のエンボスエリアは、前記第２のエンボスエリアよりも大きいことを特徴とする請求項２９乃至３６のいずれか一に記載の情報記録媒体製造装置。
【手続補正３】
【補正対象書類名】明細書
【補正対象項目名】０００１
【補正方法】変更
【補正の内容】
【０００１】
【発明の属する技術分野】
本発明は、特にＤＶＤ−ＲＷに用いて好適な情報記録媒体、その製造装置及びその製造方法、ならびに情報記録媒体への信号記録装置及びその信号記録方法に関する。
【手続補正４】
【補正対象書類名】明細書
【補正対象項目名】０００８
【補正方法】変更
【補正の内容】
【０００８】
本発明の実施形態は上記事情に鑑みてなされたものであり、コントロールデータゾーンにアンリーダブルエンボスエリアを割り付けることによりその直後のエリアにデータ記録を可能とし、かつ、アンリーダブルエンボスエリアを割り付けたことによるアドレスの不整合を調整することで従来バージョンにおけるディスクとの互換性を維持できる光ディスク及び同ディスクへの信号記録方法ならびに装置を提供することを目的とする。
【手続補正５】
【補正対象書類名】明細書
【補正対象項目名】０００９
【補正方法】変更
【補正の内容】
【０００９】
【課題を解決するための手段】
上述した課題を解決するために請求項１に記載の情報記録媒体は、情報信号が記録される情報記録トラック及びアドレス情報を含むガイド信号が記録されているガイドトラックを備えたデータ記録エリアと、第１のエンボスピット列が形成されるとともに、前記ガイド信号が記録されていない第１のエンボスエリアと、第２のエンボスピット列が形成されるとともに、前記ガイド信号が記録されている第２のエンボスエリアと、を備えたこととした。また、請求項２に記載の情報記録媒体は、請求項１に記載の情報記録媒体において、前記第２のエンボスエリアは、前記第１のエンボスエリアの直後に配置されていることとした。また、請求項３に記載の情報記録媒体は、請求項１又は２に記載の情報記録媒体において、前記第２のエンボスエリアに対応する前記ガイド信号のアドレス情報は、前記情報記録媒体のデータ記録エリアの先頭に対応する前記ガイド信号のアドレス情報に基づいて設定されていることとした。また、請求項４に記載の情報記録媒体は、請求項１乃至３のいずれか一に記載の情報記録媒体において、前記第１のエンボスピット列と前記第２のエンボスピット列は、異なるピット深さを有することとした。更に、請求項５に記載の情報記録媒体は、請求項４に記載の情報記録媒体において、前記第１のエンボスピット列は、前記第２のエンボスピット列より深いピット深さを有することとした。
【手続補正６】
【補正対象書類名】明細書
【補正対象項目名】００１０
【補正方法】変更
【補正の内容】
【００１０】
また、請求項６に記載の情報記録媒体は、請求項１乃至５のいずれか一に記載の情報記録媒体において、前記第１のエンボスエリアにおいては、制御情報が前記第１のエンボスピット列として記録されていることとした。また、請求項７に記載の情報記録媒体は、請求項１乃至６のいずれか一に記載の情報記録媒体において、前記第２のエンボスエリアにおいては、ダミーデータが前記第２のエンボスピット列として記録されていることとした。また、請求項８に記載の情報記録媒体は、請求項１乃至７のいずれか一に記載の情報記録媒体において、前記第１のエンボスエリア及び前記第２のエンボスエリアの各々は、誤り訂正単位の整数倍の大きさを有することとした。また、請求項９に記載の情報記録媒体は、請求項１乃至８のいずれか一に記載の情報記録媒体において、前記第１のエンボスエリアは、前記第２のエンボスエリアよりも大きいこととした。
【手続補正７】
【補正対象書類名】明細書
【補正対象項目名】００１１
【補正方法】変更
【補正の内容】
【００１１】
請求項１０に記載の情報記録媒体への信号記録方法は、情報記録媒体に、第１のエンボスピット列を有する第１のエンボスエリアと、第２のエンボスピット列を有する第２のエンボスエリアを形成し、前記第１のエンボスエリアにおいては、アドレス情報を含むガイド信号を記録することなく、前記第２のエンボスエリアにおいては、前記ガイド信号を記録することとした。また、請求項１１に記載の情報記録媒体への信号記録方法は、請求項１０に記載の情報記録媒体において、前記第２のエンボスエリアは、前記第１のエンボスエリアの直後に割り付けられることとした。また、請求項１２に記載の情報記録媒体への信号記録方法は、請求項１０又は１１に記載の信号記録方法において、前記第２のエンボスエリアに対応する前記ガイド信号のアドレス情報は、前記情報記録媒体のデータ記録エリアの先頭に対応する前記ガイド信号のアドレス情報に基づいて設定されていることとした。また、請求項１３に記載の情報記録媒体への信号記録方法は、請求項１０乃至１２のいずれか一に記載の信号記録方法において、前記第１のエンボスエリアにおいては、制御情報が前記第１のエンボスピット列として記録されることとした。また、請求項１４に記載の情報記録媒体への信号記録方法は、請求項１０乃至１３のいずれか一に記載の信号記録方法において、前記第２のエンボスエリアにおいては、ダミーデータが前記第２のエンボスピット列として記録されることとした。
【手続補正８】
【補正対象書類名】明細書
【補正対象項目名】００１２
【補正方法】変更
【補正の内容】
【００１２】
請求項１５に記載の信号記録装置は、情報記録媒体に、第１のエンボスピット列を有する第１のエンボスエリアと、第２のエンボスピット列を有する第２のエンボスエリアを形成するエンボス形成手段と、前記第１のエンボスエリアにおいては、アドレス情報を含むガイド信号を記録することなく、前記第２のエンボスエリアにおいては、前記ガイド信号を記録する記録手段とを備えることとした。また、請求項１６に記載の信号記録装置は、請求項１５に記載の信号記録装置において、前記第２のエンボスエリアは、前記第１のエンボスエリアの直後に割り当てられることとした。また、請求項１７に記載の信号記録装置は、請求項１５又は１６に記載の信号記録装置において、前記記録手段は、前記第２のエンボスエリアに対応する前記ガイド信号のアドレス情報を、前記情報記録媒体のデータ記録エリアの先頭に対応する前記ガイド信号のアドレス情報に基づいて設定することとした。また、請求項１８に記載の信号記録装置は、請求項１５乃至１７のいずれか一に記載の信号記録装置において、前記エンボスエリア形成手段は、制御情報を前記第１のエンボスピット列として記録することにより前記第１のエンボスエリアを形成することとした。また、請求項１９に記載の信号記録装置は、請求項１５乃至１８のいずれか一に記載の信号記録装置において、前記エンボスエリア形成手段は、ダミーデータを前記第２のエンボスピット列として記録することにより前記第２のエンボスエリアを形成することとした。
【手続補正９】
【補正対象書類名】明細書
【補正対象項目名】００１３
【補正方法】変更
【補正の内容】
【００１３】
請求項２０に記載の情報記録媒体製造方法は、情報記録媒体に、情報信号が記録される情報記録トラック及びアドレス情報を含むガイド信号が記録されているガイドトラックを備えたデータ記録エリアを形成するデータエリア形成工程と、第１のエンボスピット列が形成されるとともに、前記ガイド信号が記録されていていない第１のエンボスピットエリアを形成する第１のエンボスエリア形成工程と、第２のエンボスピット列が形成されるとともに、前記ガイド信号を記録されている第２のエンボスエリアを形成する第２のエンボスエリア形成工程と、を備えたこととした。また、請求項２１に記載の情報記録媒体製造方法は、請求項２０に記載の情報記録媒体製造方法において、前記第２のエンボスエリア形成工程においては、前記第２のエンボスエリアは、前記第１のエンボスエリアの直後に形成されることとした。また、請求項２２に記載の情報記録媒体製造方法は、請求項２０又は２１に記載の情報記録媒体製造方法において、前記第２のエンボスエリアに対応する前記ガイド信号のアドレス情報は、前記情報記録媒体のデータ記録エリアの先頭に対応する前記ガイド信号のアドレス情報に基づいて設定されていることとした。また、請求項２３に記載の情報記録媒体製造方法は、請求項２０乃至２２のいずれか一に記載の情報記録媒体製造方法において、前記第１のエンボスエリア形成工程及び前記第２のエンボスエリア形成工程においては、前記第１のエンボスピット列と前記第２のエンボスピット列は、異なるピット深さを有するように形成されることとした。
【手続補正１０】
【補正対象書類名】明細書
【補正対象項目名】００１４
【補正方法】変更
【補正の内容】
【００１４】
また、請求項２４に記載の情報記録媒体製造方法は、請求項２３に記載の情報記録媒体製造方法において、前記第１のエンボスピット列は、前記第２のエンボスピット列よりも深いピット深さを有するように形成されることとした。また、請求項２５に記載の情報記録媒体製造方法は、請求項２０乃至２４のいずれか一に記載の情報記録媒体製造方法において、前記第１のエンボスエリア形成工程においては、制御情報に基づいて前記第１のエンボスピット列を形成することとした。また、請求項２６に記載の情報記録媒体製造方法は、請求項２０乃至２５のいずれか一に記載の情報記録媒体製造方法において、前記第２のエンボスエリア形成工程においては、ダミーデータに基づいて前記第２のエンボスピット列を形成することとした。また、請求項２７に記載の情報記録媒体製造方法は、請求項２０乃至２６のいずれか一に記載の情報記録媒体製造方法において、前記第１のエンボスエリア及び前記第２のエンボスエリアの各々は、誤り訂正単位の整数倍の大きさを有することとした。また、請求項２８に記載の情報記録媒体製造方法は、請求項２０乃至２７のいずれか一に記載の情報記録媒体製造方法において、前記第１のエンボスエリアは、前記第２のエンボスエリアよりも大きいこととした。
【手続補正１１】
【補正対象書類名】明細書
【補正対象項目名】００１５
【補正方法】変更
【補正の内容】
【００１５】
請求項２９に記載の情報記録媒体製造装置は、情報記録媒体に、情報信号が記録される情報記録トラック及びアドレス情報を含むガイド信号が記録されているガイドトラックを備えたデータ記録エリアを形成するデータエリア形成手段と、第１のエンボスピット列が形成されるとともに、前記ガイド信号が記録されていない第１のエンボスエリアを形成する第１のエンボスエリア形成手段と、第２のエンボスピット列が形成されるとともに、前記ガイド信号が記録されている第２のエンボスエリアを形成する第２のエンボスエリア形成手段とを備えたこととした。また、請求項３０に記載の情報記録媒体製造装置は、請求項２９に記載の情報記録媒体製造装置において、前記第２のエンボスエリア形成手段は、前記第２のエンボスエリアを、前記第１のエンボスエリアの直後に形成することとした。また、請求項３１に記載の情報記録媒体製造装置は、請求項２９又は３０に記載の情報記録媒体製造装置において、前記第２のエンボスエリアに対応する前記ガイド信号のアドレス情報は、前記情報記録媒体のデータ記録エリアの先頭に対応する前記ガイド信号のアドレス情報に基づいて設定されていることとした。また、請求項３２に記載の情報記録媒体製造装置は、請求項２９乃至３１のいずれか一に記載の情報記録媒体製造装置において、前記第１のエンボスエリア形成手段及び前記第２のエンボスエリア形成手段は、前記第１のエンボスピット列と前記第２のエンボスピット列が異なるピット深さを有するように形成することとした。また、請求項３３に記載の情報記録媒体製造装置は、請求項３２に記載の情報記録媒体製造装置において、前記第１のエンボスピット列を、前記第２のエンボスピット列より深いピット深さを有するように形成することとした。
【手続補正１２】
【補正対象書類名】明細書
【補正対象項目名】００１６
【補正方法】変更
【補正の内容】
【００１６】
また、請求項３４に記載の情報記録媒体製造装置は、請求項２９乃至３３のいずれか一に記載の情報記録媒体製造装置において、前記第１のエンボスエリア形成手段は、制御情報に基づいて前記第１のエンボスピット列を形成することとした。また、請求項３５に記載の情報記録媒体製造装置は、請求項２９乃至３４のいずれか一に記載の情報記録媒体製造装置において、前記第２のエンボスエリア形成手段は、ダミーデータに基づいて前記第２のエンボスピット列を形成することとした。また、請求項３６に記載の情報記録媒体製造装置は、請求項２９乃至３５のいずれか一に記載の情報記録媒体製造装置において、前記第１のエンボスエリア及び前記第２のエンボスエリアの各々は、誤り訂正単位の整数倍の大きさを有することとした。また、請求項３７に記載の情報記録媒体製造装置は、請求項２９乃至３６のいずれか一に記載の情報記録媒体製造装置において、前記第１のエンボスエリアは、前記第２のエンボスエリアよりも大きいこととした。
【手続補正１３】
【補正対象書類名】明細書
【補正対象項目名】００１７
【補正方法】変更
【補正の内容】
【００１７】
上記構成により、第２のエンボスエリア直後のデータ記録が可能となり、第１のエンボスに対しデータの書き込みはできなくても読むことのできる情報記録媒体を提供できる。また、第２のエンボスエリアを設けたことによるアドレスの不整合を調整することで従来バージョンにおける情報記録媒体とのアドレス互換性を維持できる。また、リーダブルエンボスゾーンとされる第１のエンボスエリアと続くバッファゾーンの間に第２のエンボスエリアを付加、もしくは第１のエンボスエリアに続くバッファゾーンの一部に第２のエンボスエリアを割り付け、このことにより、その直後のエリアへのデータ記録が可能となる。また、従前のＤＶＤ−ＲＷバージョンと物理セクタナンバを一致させるよう、第２のエンボスエリアに対応するガイドトラックのアドレスが決定されるため、従来バージョンにおける情報記録媒体とのアドレス互換性を維持できる。
【手続補正１４】
【補正対象書類名】明細書
【補正対象項目名】００２３
【補正方法】変更
【補正の内容】
【００２３】
図３は、本発明の実施形態が実現されるレイアウトにおけるリードインエリアの一実施形態を示す図である。図において、書換え不能のリーダブルエンボスデータゾーンに属するリードインエリアの開始位置には、イニシャルゾーンが設けられ、このイニシャルゾーンには、ブランクを意味する（００）ｈがセットされている。このエンボスデータゾーンに続いてリファレンスコードゾーンが設けられ、このリファレンスコードゾーンには、エンボス基準コードが記録されている。エンボス基準コードとして予め定められた変換テーブル中のコードワードが繰り返されている。この所定のコードワードが正しく読み出されるように、換言すれば、所定のエラー率の範囲内で読み出されるように装置が設定される。このリファレンスコードゾーンに続いてまたブランク（００）ｈのバッファゾーンが設けられている。
【手続補正１５】
【補正対象書類名】明細書
【補正対象項目名】００２５
【補正方法】変更
【補正の内容】
【００２５】
本発明の実施形態は、特徴的にはこのコントロールデータゾーンとコントロールデータゾーンに続くブランクのバッファゾーンとの間にアンリーダブルなエンボスエリアを設けたことにある。上記したコントロールデータゾーンには、セクターナンバ“０２Ｆ２００”ｈから始まる読める深いエンボスピット（深さ約７０〜８０ｎｍ）でコントロールデータを記録し、読むときに障害となるランドプリピット４は記録されない。続いてアンリーダブルエンボスエリアを形成する。このアンリーダブルデータエンボスエリアには、ランドプリピット４を入れ、情報信号は記録再生できないようにダミーデータに基づく浅いエンボスピット（深さ約２０ｎｍ）を記録する。
【手続補正１６】
【補正対象書類名】明細書
【補正対象項目名】００２９
【補正方法】変更
【補正の内容】
【００２９】
図４ならびに図５は、本発明の実施形態において使用されるＤＶＤ−ＲＷの信号記録フォーマットを示す図である。ここでは、図４、図５を用いてＤＶＤ−ＲＷに記録情報を記録する際の一般的な物理フォーマット及び当該記録情報における誤り訂正処理について説明する。先ず、ＤＶＤ−ＲＷにおける誤り訂正及び当該誤り訂正処理における誤り訂正単位としてのＥＣＣブロックについて、図４を用いて説明する。
【手続補正１７】
【補正対象書類名】明細書
【補正対象項目名】００４２
【補正方法】変更
【補正の内容】
【００４２】
本発明の実施形態において光ディスクを製造するためには図６に示されるディスク製造装置が用いられる。このディスク製造装置を用いてレーザカッティングする際、図８に示されるように、まず、ランド部３に記録されるプリピット情報４に基づいてガラス基板上のレジスタ面を露光して現像することによりマスタースタンパを作製する。そして、このマスタースタンパに１回の電鋳処理を施して得られるサブマスター、もしくはサブマスターにさらに偶数回の電鋳処理を施してえられるスタンパのいずれかを用いてリプリケーションする。このような方法を採用すると、原盤のカッティング処理が1回で済み、ランド３上のプリピット４がずれるようなこともなくなり、高精度のディスク１を作ることができる。
【手続補正１８】
【補正対象書類名】明細書
【補正対象項目名】００４５
【補正方法】変更
【補正の内容】
【００４５】
以下、図７に示すフローチャートを参照しながら本発明の実施形態における信号記録方法を適用したディスク製造装置の動作について説明する。
【手続補正１９】
【補正対象書類名】明細書
【補正対象項目名】００５３
【補正方法】変更
【補正の内容】
【００５３】
以上説明のように本発明の実施形態によれば、コントロールデータゾーン（１９２ＥＣＣ）をリータダブルエンボスとし、このコントロールデータゾーンと続く３２ＥＣＣブロックから成るバッファゾーンの間に６４ＥＣＣブロックのアンリーダブルエンボスエリアを割り付けたことにより、あるいは、コントロールデータゾーン（１９２ＥＣＣブロック）をリーダブルエンボスとし、続く３２ＥＣＣブロックのバッファゾーンの前半分の１６ＥＣＣブロックをアンリーダブルエンボスエリアとして割り付けるか、あるいは更に、本来１９２ＥＣＣブロックから成るコントロールデータゾーンの前１７６ＥＣＣブロックをリーダブルエンボスとし、後ろ１６ＥＣＣブロックをアンリーダブルエンボスエリアとして割り付けることにより、その直後のエリアに対するデータ記録が可能となる。また、リーダブルエンボスエリアに対応するランドプリピットは記録されない。更に、従前のＤＶＤ−ＲＷバージョンと物理セクタナンバを一致させるよう、データエリアに対応するガイド信号の先頭アドレス情報に基づき、アンリーダブルエリアに対応するガイドトラックのアドレスが決定されている。
【手続補正２０】
【補正対象書類名】明細書
【補正対象項目名】００５４
【補正方法】変更
【補正の内容】
【００５４】
以上説明のように本発明の実施形態によれば、情報トラックには、エンボスピットにより物理セクターアドレスを含む情報信号が記録されているリーダブルエンボスエリアと、情報信号の読み書きを禁止するアンリーダブルエンボスピットが記録されるアンリーダブルエンボスエリアとが形成され、リーダブルエンボスエリアに対応するガイドトラックには、ガイド信号が記録されず、アンリーダブルエンボスエイアに対応するガイドラックにはガイド信号が記録される。このことにより、アンリーダブルエンボスエリア直後のデータ記録が可能となり、コントロールデータゾーンに対しデータの書き込みはできなくても読むことのできる光ディスクを提供できる。また、アンリーダブルエンボスエリアを割り付けたことによるアドレスの不整合を調整することで従来バージョンにおけるディスクとのアドレス互換性を維持できる。
【手続補正２１】
【補正対象書類名】図面
【補正対象項目名】図１１
【補正方法】変更
【補正の内容】
【図１１】
2001307329.tif 000001